(57)【特許請求の範囲】
【請求項１】
撮影レンズの像側に着脱可能に装着されて、前記撮影レンズに装着された状態の合成焦点距離が前記撮影レンズの焦点距離よりも長くなるように構成されたリアコンバーターレンズであって、
光軸に沿って物体側から順に並んだ、正の屈折力を有する第１レンズ群と、負の屈折力を有する第２レンズ群と、正の屈折力を有する第３レンズ群とにより実質的に３つのレンズ群からなり、
前記第１レンズ群は、１枚の正レンズからなり、
前記第３レンズ群は、１枚の正レンズからなり、
以下の条件式を満足することを特徴とするリアコンバーターレンズ。
５８．０＜νｎ＜７５．０
但し、
νｎ：前記リアコンバーターレンズにおける少なくとも１枚の負レンズのアッベ数。
【請求項２】
撮影レンズの像側に着脱可能に装着されて、前記撮影レンズに装着された状態の合成焦点距離が前記撮影レンズの焦点距離よりも長くなるように構成されたリアコンバーターレンズであって、
光軸に沿って物体側から順に並んだ、正の屈折力を有する第１レンズ群と、負の屈折力を有する第２レンズ群と、正の屈折力を有する第３レンズ群とにより実質的に３つのレンズ群からなり、
前記第１レンズ群は、１枚の正レンズからなり、
前記第３レンズ群は、１枚の正レンズからなり、
以下の条件式を満足することを特徴とするリアコンバーターレンズ。
５４．０＜νｎ＜７５．０
２．５０＜ｆ３／（−ｆ２）＜４．００
但し、
νｎ：前記リアコンバーターレンズにおける少なくとも１枚の負レンズのアッベ数、
ｆ２：前記第２レンズ群の焦点距離、
ｆ３：前記第３レンズ群の焦点距離。
【請求項３】
撮影レンズの像側に着脱可能に装着されて、前記撮影レンズに装着された状態の合成焦点距離が前記撮影レンズの焦点距離よりも長くなるように構成されたリアコンバーターレンズであって、
光軸に沿って物体側から順に並んだ、正の屈折力を有する第１レンズ群と、負の屈折力を有する第２レンズ群と、正の屈折力を有する第３レンズ群とにより実質的に３つのレンズ群からなり、
前記第１レンズ群は、１枚の正レンズからなり、
前記第３レンズ群は、１枚の正レンズからなり、
前記第２レンズ群は、第１負レンズと正レンズと第２負レンズとが接合された接合レンズを有し、
以下の条件式を満足することを特徴とするリアコンバーターレンズ。
５４．０＜νｎ＜７５．０
但し、
νｎ：前記リアコンバーターレンズにおける少なくとも１枚の負レンズのアッベ数。
【請求項４】
前記接合レンズにおける前記正レンズが両凸形状の正レンズであることを特徴とする請求項３に記載のリアコンバーターレンズ。
【請求項５】
前記接合レンズにおける前記第１負レンズおよび前記第２負レンズのうち少なくとも一方が両凹形状の負レンズであることを特徴とする請求項３または４に記載のリアコンバーターレンズ。
【請求項６】
前記接合レンズにおける前記第１負レンズおよび前記第２負レンズの両方が両凹形状の負レンズであることを特徴とする請求項３または４に記載のリアコンバーターレンズ。
【請求項７】
以下の条件式を満足することを特徴とする請求項１または請求項３から６のいずれか一項に記載のリアコンバーターレンズ。
２．００＜ｆ３／（−ｆ２）＜４．００
但し、
ｆ２：前記第２レンズ群の焦点距離、
ｆ３：前記第３レンズ群の焦点距離。
【請求項８】
前記第２レンズ群は、光軸に沿って物体側から順に並んだ、第１負レンズと正レンズと第２負レンズとを有することを特徴とする請求項１または２に記載のリアコンバーターレンズ。
【請求項９】
以下の条件式を満足することを特徴とする請求項１から８のいずれか一項に記載のリアコンバーターレンズ。
０．０５＜ｆ２／ｆｃ＜０．３５
但し、
ｆ２：前記第２レンズ群の焦点距離、
ｆｃ：前記リアコンバーターレンズの焦点距離。
【請求項１０】
機器本体と撮影レンズとの間にリアコンバーターレンズを装着可能な光学機器であって、
前記リアコンバーターレンズが請求項１から９のいずれか一項に記載のリアコンバーターレンズであることを特徴とする光学機器。
【請求項１１】
撮影レンズの像側に着脱可能に装着されて、前記撮影レンズに装着された状態の合成焦点距離が前記撮影レンズの焦点距離よりも長くなるように構成されたリアコンバーターレンズの製造方法であって、
光軸に沿って物体側から順に、正の屈折力を有する第１レンズ群と、負の屈折力を有する第２レンズ群と、正の屈折力を有する第３レンズ群とにより実質的に３つのレンズ群を配置し、
前記第１レンズ群は、１枚の正レンズからなり、
前記第３レンズ群は、１枚の正レンズからなり、
以下の条件式を満足するようにしたことを特徴とするリアコンバーターレンズの製造方法。
５８．０＜νｎ＜７５．０
但し、
νｎ：前記リアコンバーターレンズにおける少なくとも１枚の負レンズのアッベ数。
【発明の詳細な説明】
【技術分野】
【０００１】
本発明は、リアコンバーターレンズ、このリアコンバーターレンズを備えた光学機器、
およびリアコンバーターレンズの製造方法に関する。
【背景技術】
【０００２】
従来から、一眼レフカメラの撮影レンズ（マスターレンズとも称される）とカメラ本体
との間に、負の焦点距離を有するリアコンバーターレンズを挿入して撮影レンズの焦点距
離を拡大する方法が広く知られている（例えば、特許文献１を参照）。近年、撮影レンズ
の光学性能が向上するのに伴って、リアコンバーターレンズに対しても、撮影レンズの収
差を拡大させない対応を行う要望がある。このような要望に対し、適切なレンズ配置を行
うことで、良好な光学性能を実現したリアコンバーターレンズが提案されている（例えば
、特許文献２を参照）。
【先行技術文献】
【特許文献】
【０００３】
【特許文献１】特公平１−２８９２３号公報
【特許文献２】特開２００４−２２６６４８号公報
【発明の概要】
【発明が解決しようとする課題】
【０００４】
しかしながら、このような従来のリアコンバーターレンズでは、良好な光学性能を維持
しつつ小型化を達成するのが難しかった。
【０００５】
本発明は、このような問題に鑑みてなされたものであり、小型でありながら良好な光学
性能を有したリアコンバーターレンズ、光学機器、およびリアコンバーターレンズの製造
方法を提供することを目的とする。
【課題を解決するための手段】
【０００６】
このような目的達成のため、第１の発明に係るリアコンバーターレンズは、撮影レンズの像側に着脱可能に装着されて、前記撮影レンズに装着された状態の合成焦点距離が前記撮影レンズの焦点距離よりも長くなるように構成されたリアコンバーターレンズであって、光軸に沿って物体側から順に並んだ、正の屈折力を有する第１レンズ群と、負の屈折力を有する第２レンズ群と、正の屈折力を有する第３レンズ群とにより実質的に３つのレンズ群からなり、前記第１レンズ群は、１枚の正レンズからなり、前記第３レンズ群は、１枚の正レンズからなり、以下の条件式を満足している。
【０００７】
５８．０＜νｎ＜７５．０
但し、
νｎ：前記リアコンバーターレンズにおける少なくとも１枚の負レンズのアッベ数。
【０００８】
また、第２の発明に係るリアコンバーターレンズは、撮影レンズの像側に着脱可能に装着されて、前記撮影レンズに装着された状態の合成焦点距離が前記撮影レンズの焦点距離よりも長くなるように構成されたリアコンバーターレンズであって、光軸に沿って物体側から順に並んだ、正の屈折力を有する第１レンズ群と、負の屈折力を有する第２レンズ群と、正の屈折力を有する第３レンズ群とにより実質的に３つのレンズ群からなり、前記第１レンズ群は、１枚の正レンズからなり、前記第３レンズ群は、１枚の正レンズからなり、以下の条件式を満足している。
【０００９】
５４．０＜νｎ＜７５．０
２．５０＜ｆ３／（−ｆ２）＜４．００
但し、
νｎ：前記リアコンバーターレンズにおける少なくとも１枚の負レンズのアッベ数、
ｆ２：前記第２レンズ群の焦点距離、
ｆ３：前記第３レンズ群の焦点距離。
【００１０】
また、第３の発明に係るリアコンバーターレンズは、撮影レンズの像側に着脱可能に装着されて、前記撮影レンズに装着された状態の合成焦点距離が前記撮影レンズの焦点距離よりも長くなるように構成されたリアコンバーターレンズであって、光軸に沿って物体側から順に並んだ、正の屈折力を有する第１レンズ群と、負の屈折力を有する第２レンズ群と、正の屈折力を有する第３レンズ群とにより実質的に３つのレンズ群からなり、前記第１レンズ群は、１枚の正レンズからなり、前記第３レンズ群は、１枚の正レンズからなり、前記第２レンズ群は、第１負レンズと正レンズと第２負レンズとが接合された接合レンズを有し、以下の条件式を満足している。
【００１１】
５４．０＜νｎ＜７５．０
但し、
νｎ：前記リアコンバーターレンズにおける少なくとも１枚の負レンズのアッベ数。
【００１９】
また、本発明に係る光学機器は、機器本体と撮影レンズとの間にリアコンバーターレン
ズを装着可能な光学機器であって、前記リアコンバーターレンズとして本発明に係るリア
コンバーターレンズを用いている。
【００２０】
また、本発明に係るリアコンバーターレンズの製造方法は、撮影レンズの像側に着脱可能に装着されて、前記撮影レンズに装着された状態の合成焦点距離が前記撮影レンズの焦点距離よりも長くなるように構成されたリアコンバーターレンズの製造方法であって、光軸に沿って物体側から順に、正の屈折力を有する第１レンズ群と、負の屈折力を有する第２レンズ群と、正の屈折力を有する第３レンズ群とにより実質的に３つのレンズ群を配置し、前記第１レンズ群は、１枚の正レンズからなり、前記第３レンズ群は、１枚の正レンズからなり、以下の条件式を満足するようにしている。
【００２１】
５８．０＜νｎ＜７５．０
但し、
νｎ：前記リアコンバーターレンズにおける少なくとも１枚の負レンズのアッベ数。
【発明の効果】
【００２２】
本発明によれば、小型でありながら良好な光学性能を得ることができる。
【図面の簡単な説明】
【００２３】
【図１】第１実施例に係るリアコンバーターレンズが撮影レンズに装着された状態を示すレンズ構成図である。
【図２】第１実施例に係るリアコンバーターレンズの無限遠合焦状態における諸収差図である。
【図３】第２実施例に係るリアコンバーターレンズが撮影レンズに装着された状態を示すレンズ構成図である。
【図４】第２実施例に係るリアコンバーターレンズの無限遠合焦状態における諸収差図である。
【図５】第３実施例に係るリアコンバーターレンズが撮影レンズに装着された状態を示すレンズ構成図である。
【図６】第３実施例に係るリアコンバーターレンズの無限遠合焦状態における諸収差図である。
【図７】第４実施例に係るリアコンバーターレンズが撮影レンズに装着された状態を示すレンズ構成図である。
【図８】第４実施例に係るリアコンバーターレンズの無限遠合焦状態における諸収差図である。
【図９】第５実施例に係るリアコンバーターレンズが撮影レンズに装着された状態を示すレンズ構成図である。
【図１０】第５実施例に係るリアコンバーターレンズの無限遠合焦状態における諸収差図である。
【図１１】第６実施例に係るリアコンバーターレンズが撮影レンズに装着された状態を示すレンズ構成図である。
【図１２】第６実施例に係るリアコンバーターレンズの無限遠合焦状態における諸収差図である。
【図１３】デジタル一眼レフカメラの断面図である。
【図１４】リアコンバーターレンズの製造方法を示すフローチャートである。
【発明を実施するための形態】
【００２４】
以下、本願の好ましい実施形態について図を参照しながら説明する。本願に係るリアコ
ンバーターレンズＲＣがカメラ本体Ｂと撮影レンズ（マスターレンズ）ＭＬとの間に装着
されたデジタル一眼レフカメラＣＡＭが図１３に示されている。図１３に示すデジタル一
眼レフカメラＣＡＭにおいて、不図示の物体（被写体）からの光は、撮影レンズＭＬおよ
びリアコンバーターレンズＲＣで集光されて、クイックリターンミラーＭを介して焦点板
Ｆ上に結像される。焦点板Ｆ上に結像された光は、ペンタプリズムＰ中で複数回反射され
て接眼レンズＥへと導かれる。これにより、撮影者は、接眼レンズＥを介して物体（被写
体）の像を正立像として観察することができる。
【００２５】
また、撮影者によって不図示のレリーズボタンが押されると、クイックリターンミラー
Ｍが光路外へ退避し、撮影レンズＭＬおよびリアコンバーターレンズＲＣで集光された物
体（被写体）からの光は、撮像素子Ｃ上に結像されて被写体の像を形成する。これにより
、物体（被写体）からの光は、撮像素子Ｃ上に結像されて当該撮像素子Ｃにより撮像され
、物体（被写体）の画像として不図示のメモリーに記録される。このようにして、撮影者
はデジタル一眼レフカメラＣＡＭによる物体（被写体）の撮影を行うことができる。なお
、クイックリターンミラーＭを有しないカメラであっても、上記カメラＣＡＭと同様の効
果を得ることができる。
【００２６】
リアコンバーターレンズＲＣは、撮影レンズＭＬの像側に着脱可能に装着されて、撮影
レンズＭＬに装着された状態の合成焦点距離が撮影レンズＭＬの焦点距離よりも長くなる
ように構成される。例えば図１に示すように、リアコンバーターレンズＲＣは、光軸に沿
って物体側から順に並んだ、正の屈折力を有する第１レンズ群Ｇ１と、負の屈折力を有す
る第２レンズ群Ｇ２と、正の屈折力を有する第３レンズ群Ｇ３とを有している。
【００２７】
このような構成のリアコンバーターレンズＲＣにおいて、優れた光学性能を維持しつつ
小型化を達成するため、次の条件式（１）で表される条件を満足することが好ましい。
【００２８】
５４．０＜νｎ＜７５．０    …（１）
但し、
νｎ：リアコンバーターレンズＲＣにおける少なくとも１枚の負レンズのアッベ数。
【００２９】
条件式（１）は、撮影レンズＭＬに対してリアコンバーターレンズＲＣを装着した際に
、良好な色収差を保つための条件式である。条件式（１）の上限値を上回る条件である場
合、現状においては、屈折力の低いガラスとなる。そのため、負レンズの屈折力が低下す
ることで、ペッツバール和がマイナス側へ行き過ぎるため、平均像面を良好に保つことが
難しくなる。一方、条件式（１）の下限値を下回る条件である場合、リアコンバーターレ
ンズＲＣの装着時における倍率色収差が拡大し、良好な収差補正が困難となる。
【００３０】
なお、本実施形態の効果をより確実なものとするために、条件式（１）の上限値を７０
．０とすることが望ましい。一方、本実施形態の効果をより確実なものとするために、条
件式（１）の下限値を５８．０とすることが望ましい。また、条件式（１）の下限値を６
０．０とすることがより望ましい。
【００３１】
また、このようなリアコンバーターレンズＲＣにおいて、次の条件式（２）で表される
条件を満足することが好ましい。
【００３２】
０．０５＜ｆ２／ｆｃ＜０．３５    …（２）
但し、
ｆ２：第２レンズ群Ｇ２の焦点距離、
ｆｃ：リアコンバーターレンズＲＣの焦点距離。
【００３３】
条件式（２）は、バックフォーカスおよびペッツバール和を確保するための条件式であ
る。条件式（２）の上限値を上回る条件である場合、撮影レンズＭＬとリアコンバーター
レンズＲＣとの空気間隔を確保するためと、所望のコンバーター倍率を得るために、第１
レンズ群Ｇ１と第３レンズ群Ｇ３の焦点距離も大きくなる。そのため、正レンズ群と負レ
ンズ群のバランスがとれなくなることで、ペッツバール和がマイナス側に大きくなる。仮
に、ガラスを変更して屈折力を変えたとしても、ペッツバール和を適正に保つことは難し
い。よって、平均像面が物体側へ行き過ぎるため、好ましくない。一方、条件式（２）の
下限値を下回る条件である場合、第２レンズ群Ｇ２の焦点距離が小さくなることにより、
各レンズの焦点距離も小さくなる。各レンズ面の曲率半径が小さくなるので、凸レンズの
縁厚を確保するためには、レンズ厚を厚くする必要があり、リアコンバーターレンズＲＣ
の全長が長くなってしまう。そのため、必要なバックフォーカスを確保することが困難と
なる。
【００３４】
なお、本実施形態の効果をより確実なものとするために、条件式（２）の上限値を０．
３０とすることが望ましい。一方、本実施形態の効果をより確実なものとするために、条
件式（２）の下限値を０．１０とすることが望ましい。
【００３５】
また、このようなリアコンバーターレンズＲＣにおいて、次の条件式（３）で表される
条件を満足することが好ましい。
【００３６】
２．００＜ｆ３／（−ｆ２）＜４．００    …（３）
但し、
ｆ２：第２レンズ群Ｇ２の焦点距離、
ｆ３：第３レンズ群Ｇ３の焦点距離。
【００３７】
条件式（３）は、第２レンズ群Ｇ２と第３レンズ群Ｇ３の適切な屈折力の配分を規定す
るものであり、ペッツバール和を良好に補正するための条件式である。条件式（３）の上
限値を上回る条件である場合、第２レンズ群Ｇ２と第３レンズ群Ｇ３の適切な屈折力配分
がくずれ、ペッツバール和を適正に補正することが困難となる、一方、条件式（３）の下
限値を下回る条件である場合、第３レンズ群Ｇ３の焦点距離が小さくなり、第３レンズ群
Ｇ３を構成する各レンズの曲率半径が小さくなるため、球面収差と周辺のコマ収差を適正
に補正することが困難となる。
【００３８】
なお、本実施形態の効果をより確実なものとするために、条件式（３）の上限値を３．
５０とすることが望ましい。一方、本実施形態の効果をより確実なものとするために、条
件式（３）の下限値を２．５０とすることが望ましい。
【００３９】
また、このようなリアコンバーターレンズＲＣにおいて、第１レンズ群Ｇ１は、１枚の
正レンズからなり、第３レンズ群Ｇ３は、１枚の正レンズからなることが好ましい。第１
レンズ群Ｇ１および第３レンズ群Ｇ３を単レンズで構成することにより、より小型化を達
成することができ、偏芯によるコマ収差の劣化を防止することができる。
【００４０】
また、このようなリアコンバーターレンズＲＣにおいて、第２レンズ群Ｇ２は、光軸に
沿って物体側から順に並んだ、第１負レンズと正レンズと第２負レンズとを有することが
好ましい。この構成でないと、ペッツバール和がマイナス側へ行き過ぎるため、平均像面
を良好に保つことが難しくなる。
【００４１】
また、第２レンズ群Ｇ２は、第１負レンズと正レンズと第２負レンズとが接合された接
合レンズを有することが好ましい。各レンズが接合されることにより、偏芯によるコマ収
差の劣化を防止することができる。
【００４３】
また、接合レンズにおける正レンズが両凸形状の正レンズであることが好ましい。この
構成により、球面収差を良好に補正することができる。
【００４４】
また、接合レンズにおける第１負レンズおよび第２負レンズのうち少なくとも一方が両
凹形状の負レンズであることが好ましい。この構成でないと、ペッツバール和がマイナス
側へ行き過ぎるため、平均像面を良好に保つことが難しくなる。
【００４５】
なお、平均像面を良好に保つため、接合レンズにおける第１負レンズおよび第２負レン
ズの両方が両凹形状の負レンズであることがより好ましい。
【００４６】
このように、本実施形態によれば、小型でありながら良好な光学性能を有するリアコン
バーターレンズＲＣおよび、これを備えた光学機器（デジタル一眼レフカメラＣＡＭ）を
得ることが可能になる。
【００４７】
ここで、上述のような構成のリアコンバーターレンズＲＣの製造方法について、図１４
を参照しながら説明する。まず、円筒状の鏡筒内に、物体側から順に、正の屈折力を有す
る第１レンズ群Ｇ１と、負の屈折力を有する第２レンズ群Ｇ２と、正の屈折力を有する第
３レンズ群Ｇ３とを組み込む（ステップＳＴ１０）。そして、第１レンズ群Ｇ１、第２レ
ンズ群Ｇ２、および第３レンズ群Ｇ３が組み込まれたリアコンバーターレンズＲＣの鏡筒
を、撮影レンズＭＬの鏡筒（像側）に着脱可能に構成する（ステップＳＴ２０）。
【００４８】
レンズの組み込みを行うステップＳＴ１０において、前述の条件式（１）等を満足する
ように、第１レンズ群Ｇ１、第２レンズ群Ｇ２、および第３レンズ群Ｇ３を配置する。こ
のような製造方法によれば、小型でありながら良好な光学性能を有するリアコンバーター
レンズＲＣを得ることができる。
【実施例】
【００４９】
（第１実施例）
以下、本願の各実施例を添付図面に基づいて説明する。まず、本願の第１実施例につい
て図１〜図２および表１を用いて説明する。図１は、第１実施例に係るリアコンバーター
レンズＲＣ（ＲＣ１）が撮影レンズＭＬに装着された状態を示すレンズ構成図である。リ
アコンバーターレンズＲＣは、撮影レンズ（マスターレンズ）ＭＬの像側に着脱可能に装
着されて、撮影レンズＭＬに装着された状態の合成焦点距離が撮影レンズＭＬの焦点距離
よりも長くなるように構成される。第１実施例に係るリアコンバーターレンズＲＣ１は、
光軸に沿って物体側から順に並んだ、正の屈折力を有する第１レンズ群Ｇ１と、負の屈折
力を有する第２レンズ群Ｇ２と、正の屈折力を有する第３レンズ群Ｇ３とから構成される
。
【００５０】
第１レンズ群Ｇ１は、物体側に凹面を向けたメニスカス形状の正レンズＬ１１から構成
される。第２レンズ群Ｇ２は、光軸に沿って物体側から順に並んだ、両凹形状の第１負レ
ンズＬ２１と両凸形状の正レンズＬ２２と両凹形状の第２負レンズＬ２３とが貼り合わさ
れて接合された接合負レンズから構成される。第３レンズ群Ｇ３は、両凸形状の正レンズ
Ｌ３１から構成される。
【００５１】
以下に表１〜表６を示すが、これらは、撮影レンズＭＬと、撮影レンズＭＬに装着され
た第１〜第６実施例に係るリアコンバーターレンズＲＣの諸元の値をそれぞれ掲げた表で
ある。各表の［レンズデータ］において、面番号は物体側から数えた各レンズ面の番号を
、Ｒは各レンズ面の曲率半径を、Ｄは各レンズ面間隔を、νｄはｄ線（波長λ＝５８７．
６ｎｍ）に対するアッベ数を、ｎｄはｄ線（波長λ＝５８７．６ｎｍ）に対する屈折率を
それぞれ示す。なお、曲率半径「∞」は平面を示し、空気の屈折率ｎｄ＝1.00000はその
記載を省略している。
【００５２】
また、［諸元データ］において、ｆ（ＭＬ）は撮影レンズＭＬの焦点距離を、ＦＮＯ（
ＭＬ）は撮影レンズＭＬのＦナンバーを、βはリアコンバーターレンズＲＣの拡大倍率を
、Ｄ０は撮影距離をそれぞれ示す。また、ｆは撮影レンズＭＬにリアコンバーターレンズ
ＲＣを装着した際の合成焦点距離を、ＦＮＯは撮影レンズＭＬにリアコンバーターレンズ
ＲＣを装着した際の合成Ｆナンバーを、２ωは撮影レンズＭＬにリアコンバーターレンズ
ＲＣを装着した際の合成画角（単位：「°」）を、Ｙは撮影レンズＭＬにリアコンバータ
ーレンズＲＣを装着した際の像高を、ＴＬはリアコンバーターレンズの全長を、ＢＦは撮
影レンズＭＬにリアコンバーターレンズＲＣを装着した際のバックフォーカスをそれぞれ
示す。また、ｆ１は第１レンズ群Ｇ１の焦点距離を、ｆ２は第２レンズ群Ｇ２の焦点距離
を、ｆ３は第３レンズ群Ｇ３の焦点距離を、ｆｃはリアコンバーターレンズＲＣの焦点距
離をそれぞれ示す。なお、リアコンバーターレンズＲＣの全長とは、リアコンバーターレ
ンズＲＣの最も物体側の面から最も像側の面までの光軸上の距離である。
【００５３】
また、［条件式対応値］には、各条件式の対応値をそれぞれ示す。なお、以下の全ての
諸元値において掲載されている合成焦点距離ｆ、曲率半径Ｒ、面間隔Ｄ、その他長さの単
位は一般に「mm」が使われるが、光学系は、比例拡大または比例縮小しても同等の光学性
能が得られるので、これに限られるものではない。また、後述の第２〜第６実施例の諸元
値においても、本実施例と同様の符号を用いる。
【００５４】
下の表１に、第１実施例における各諸元を示す。なお、表１における第３９面〜第４６
面（リアコンバーターレンズＲＣ１の各レンズ面）の曲率半径Ｒは、図１における第３９
面〜第４６面に付した符号Ｒ３９〜Ｒ４６に対応している。また、表１における物面は不
図示の物体面に、（絞り）は図１の開口絞りＳに、像面は図１の像面Ｉにそれぞれ対応し
ている。
【００５５】
（表１）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0708
39    -960.3839      3.5000      40.96      1.581439
40     -54.1469      2.2000
41     -64.4170      2.0000      67.96      1.593190
42      38.3030      7.5000      40.96      1.581439
43     -38.3030      2.0000      35.73      1.902650
44     108.4110      1.0000
45      64.8598      4.1000      52.25      1.517420
46    -257.2027      BF
像面        ∞
［諸元データ］
ｆ（ＭＬ）=780.00037
ＦＮＯ（ＭＬ）＝5.65772
β＝1.25
Ｄ０＝∞
ｆ＝975.01926
ＦＮＯ＝7.07229
２ω＝2.52526
Ｙ＝21.633
ＴＬ＝22.3
ＢＦ＝42.27895
ｆ１＝98.54993
ｆ２＝-36.5769
ｆ３＝100.5443
ｆｃ＝-181.64441
［条件式対応値］
条件式（１）  νｎ＝67.96
条件式（２）  ｆ２／ｆｃ＝0.201
条件式（３）  ｆ３／（−ｆ２）＝2.749
【００５６】
このように本実施例では、上記条件式（１）〜（３）が全て満たされていることが分か
る。
【００５７】
図２は、第１実施例に係るリアコンバーターレンズＲＣ１の無限遠合焦状態における諸
収差図である。各収差図において、ＦＮＯは撮影レンズＭＬにリアコンバーターレンズＲ
Ｃを装着した際の合成Ｆナンバーを、Ｙは撮影レンズＭＬにリアコンバーターレンズＲＣ
を装着した際の像高をそれぞれ示す。また、各収差図において、ｄはｄ線（λ＝５８７．
６ｎｍ）、ｇはｇ線（λ＝４３５．８ｎｍ）における収差をそれぞれ示す。また、非点収
差を示す収差図において、実線はサジタル像面を示し、破線はメリディオナル像面を示し
ている。以上、収差図の説明は他の実施例においても同様である。
【００５８】
そして、各収差図より、第１実施例では、諸収差が良好に補正され、優れた結像性能を
有していることがわかる。その結果、第１実施例のリアコンバーターレンズＲＣ１を装着
することにより、デジタル一眼レフカメラＣＡＭにおいても、優れた光学性能を確保する
ことができる。
【００５９】
（第２実施例）
以下、本願の第２実施例について図３〜図４および表２を用いて説明する。図３は、第
２実施例に係るリアコンバーターレンズＲＣ（ＲＣ２）が撮影レンズＭＬに装着された状
態を示すレンズ構成図である。第２実施例に係るリアコンバーターレンズＲＣ２は、光軸
に沿って物体側から順に並んだ、正の屈折力を有する第１レンズ群Ｇ１と、負の屈折力を
有する第２レンズ群Ｇ２と、正の屈折力を有する第３レンズ群Ｇ３とから構成される。
【００６０】
第１レンズ群Ｇ１は、両凸形状の正レンズＬ１１から構成される。第２レンズ群Ｇ２は
、光軸に沿って物体側から順に並んだ、両凹形状の第１負レンズＬ２１と、両凸形状の正
レンズＬ２２と両凹形状の第２負レンズＬ２３とが貼り合わされて接合された接合負レン
ズとから構成される。第３レンズ群Ｇ３は、両凸形状の正レンズＬ３１から構成される。
【００６１】
下の表２に、第２実施例における各諸元を示す。なお、表２における第３９面〜第４７
面（リアコンバーターレンズＲＣ２の各レンズ面）の曲率半径Ｒは、図３における第３９
面〜第４７面に付した符号Ｒ３９〜Ｒ４７に対応している。また、表２における物面は不
図示の物体面に、（絞り）は図３の開口絞りＳに、像面は図３の像面Ｉにそれぞれ対応し
ている。
【００６２】
（表２）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0712
39    9247.2848      3.5000      40.96      1.581439
40     -61.8509      2.2000
41     -78.8757      2.0000      67.96      1.593190
42      33.8544      0.5000
43      35.3970      7.5000      40.96      1.581439
44     -40.7487      2.0000      35.73      1.902650
45      89.1658      1.0000
46      52.2475      4.1000      52.25      1.517420
47    -476.2678      BF
像面        ∞
［諸元データ］
ｆ（ＭＬ）＝780.00037
ＦＮＯ（ＭＬ）＝5.65772
β＝1.25
Ｄ０＝∞
ｆ＝975.01926
ＦＮＯ＝7.07229
２ω＝2.53414
Ｙ＝21.633
ＴＬ＝22.8
ＢＦ=41.82887
ｆ１＝105.68337
ｆ２＝-36.0749
ｆ３＝91.23609
ｆｃ＝-181.64441
［条件式対応値］
条件式（１）  νｎ＝67.96
条件式（２）  ｆ２／ｆｃ＝0.199
条件式（３）  ｆ３／（−ｆ２）＝2.529
【００６３】
このように本実施例では、上記条件式（１）〜（３）が全て満たされていることが分か
る。
【００６４】
図４は、第２実施例に係るリアコンバーターレンズＲＣ２の無限遠合焦状態における諸
収差図である。各収差図より、第２実施例では、諸収差が良好に補正され、優れた結像性
能を有していることがわかる。その結果、第２実施例のリアコンバーターレンズＲＣ２を
装着することにより、デジタル一眼レフカメラＣＡＭにおいても、優れた光学性能を確保
することができる。
【００６５】
（第３実施例）
以下、本願の第３実施例について図５〜図６および表３を用いて説明する。図５は、第
３実施例に係るリアコンバーターレンズＲＣ（ＲＣ３）が撮影レンズＭＬに装着された状
態を示すレンズ構成図である。第３実施例に係るリアコンバーターレンズＲＣ３は、光軸
に沿って物体側から順に並んだ、正の屈折力を有する第１レンズ群Ｇ１と、負の屈折力を
有する第２レンズ群Ｇ２と、正の屈折力を有する第３レンズ群Ｇ３とから構成される。
【００６６】
第１レンズ群Ｇ１は、両凸形状の正レンズＬ１１から構成される。第２レンズ群Ｇ２は
、光軸に沿って物体側から順に並んだ、両凹形状の第１負レンズＬ２１と物体側に凸面を
向けたメニスカス形状の正レンズＬ２２とが貼り合わされて接合された接合負レンズと、
両凹形状の第２負レンズＬ２３とから構成される。第３レンズ群Ｇ３は、両凸形状の正レ
ンズＬ３１から構成される。
【００６７】
下の表３に、第３実施例における各諸元を示す。なお、表３における第３９面〜第４７
面（リアコンバーターレンズＲＣ３の各レンズ面）の曲率半径Ｒは、図５における第３９
面〜第４７面に付した符号Ｒ３９〜Ｒ４７に対応している。また、表３における物面は不
図示の物体面に、（絞り）は図５の開口絞りＳに、像面は図５の像面Ｉにそれぞれ対応し
ている。
【００６８】
（表３）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0686
39      56.3144      4.5000      35.27      1.592700
40     -67.5953      2.2000
41     -67.6481      2.0000      35.73      1.902650
42      29.3709      4.8000      33.73      1.647690
43      82.8413      2.5000
44     -68.3939      2.0000      67.96      1.593190
45     145.2014      1.0000
46      61.9808      6.0000      52.25      1.517420
47     -76.77700      BF
像面        ∞
［諸元データ］
ｆ（ＭＬ）＝780.00037
ＦＮＯ（ＭＬ）＝5.65772
β＝1.25
Ｄ０＝∞
ｆ＝975.01926
ＦＮＯ＝7.07229
２ω＝2.52112
Ｙ＝21.633
ＴＬ＝25.0
ＢＦ＝38.49503
ｆ１＝52.54182
ｆ２＝-21.9673
ｆ３＝67.27265
ｆｃ＝-181.64441
［条件式対応値］
条件式（１）  νｎ＝67.96
条件式（２）  ｆ２／ｆｃ＝0.121
条件式（３）  ｆ３／（−ｆ２）＝3.062
【００６９】
このように本実施例では、上記条件式（１）〜（３）が全て満たされていることが分か
る。
【００７０】
図６は、第３実施例に係るリアコンバーターレンズＲＣ３の無限遠合焦状態における諸
収差図である。各収差図より、第３実施例では、諸収差が良好に補正され、優れた結像性
能を有していることがわかる。その結果、第３実施例のリアコンバーターレンズＲＣ３を
装着することにより、デジタル一眼レフカメラＣＡＭにおいても、優れた光学性能を確保
することができる。
【００７１】
（第４実施例）
以下、本願の第４実施例について図７〜図８および表４を用いて説明する。図７は、第
４実施例に係るリアコンバーターレンズＲＣ（ＲＣ４）が撮影レンズＭＬに装着された状
態を示すレンズ構成図である。第４実施例に係るリアコンバーターレンズＲＣ４は、光軸
に沿って物体側から順に並んだ、正の屈折力を有する第１レンズ群Ｇ１と、負の屈折力を
有する第２レンズ群Ｇ２と、正の屈折力を有する第３レンズ群Ｇ３とから構成される。
【００７２】
第１レンズ群Ｇ１は、物体側に凹面を向けたメニスカス形状の正レンズＬ１１から構成
される。第２レンズ群Ｇ２は、光軸に沿って物体側から順に並んだ、両凹形状の第１負レ
ンズＬ２１と両凸形状の正レンズＬ２２と両凹形状の第２負レンズＬ２３とが貼り合わさ
れて接合された接合負レンズから構成される。第３レンズ群Ｇ３は、両凸形状の正レンズ
Ｌ３１から構成される。
【００７３】
下の表４に、第４実施例における各諸元を示す。なお、表４における第３９面〜第４６
面（リアコンバーターレンズＲＣ４の各レンズ面）の曲率半径Ｒは、図７における第３９
面〜第４６面に付した符号Ｒ３９〜Ｒ４６に対応している。また、表４における物面は不
図示の物体面に、（絞り）は図７の開口絞りＳに、像面は図７の像面Ｉにそれぞれ対応し
ている。
【００７４】
（表４）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0730
39   -3536.9959      3.3000      40.96      1.581439
40     -42.9253      2.1000
41     -41.9958      1.9000      60.20      1.640000
42      38.9019      7.0000      40.96      1.581439
43     -52.7326      1.7000      35.73      1.902650
44     168.8361      1.0000
45      69.4023      3.8000      82.57      1.497820
46    -266.0409      BF
像面        ∞
［諸元データ］
ｆ（ＭＬ）＝780.00037
ＦＮＯ（ＭＬ）＝5.65772
β＝1.25
Ｄ０＝∞
ｆ＝974.99771
ＦＮＯ＝7.07213
２ω＝2.5297
Ｙ＝21.6
ＴＬ＝20.8
ＢＦ＝44.08093
ｆ１＝74.70697
ｆ２＝-34.0459
ｆ３＝110.9862
ｆｃ＝-197.345
［条件式対応値］
条件式（１）  νｎ＝60.2
条件式（２）  ｆ２／ｆｃ＝0.173
条件式（３）  ｆ３／（−ｆ２）＝3.26
【００７５】
このように本実施例では、上記条件式（１）〜（３）が全て満たされていることが分か
る。
【００７６】
図８は、第４実施例に係るリアコンバーターレンズＲＣ４の無限遠合焦状態における諸
収差図である。各収差図より、第４実施例では、諸収差が良好に補正され、優れた結像性
能を有していることがわかる。その結果、第４実施例のリアコンバーターレンズＲＣ４を
装着することにより、デジタル一眼レフカメラＣＡＭにおいても、優れた光学性能を確保
することができる。
【００７７】
（第５実施例）
以下、本願の第５実施例について図９〜図１０および表５を用いて説明する。図９は、
第５実施例に係るリアコンバーターレンズＲＣ（ＲＣ５）が撮影レンズＭＬに装着された
状態を示すレンズ構成図である。第５実施例に係るリアコンバーターレンズＲＣ５は、光
軸に沿って物体側から順に並んだ、正の屈折力を有する第１レンズ群Ｇ１と、負の屈折力
を有する第２レンズ群Ｇ２と、正の屈折力を有する第３レンズ群Ｇ３とから構成される。
【００７８】
第１レンズ群Ｇ１は、物体側に凹面を向けたメニスカス形状の正レンズＬ１１から構成
される。第２レンズ群Ｇ２は、光軸に沿って物体側から順に並んだ、両凹形状の第１負レ
ンズＬ２１と両凸形状の正レンズＬ２２とが貼り合わされて接合された接合負レンズと、
両凹形状の第２負レンズＬ２３とから構成される。第３レンズ群Ｇ３は、両凸形状の正レ
ンズＬ３１から構成される。
【００７９】
下の表５に、第５実施例における各諸元を示す。なお、表５における第３９面〜第４７
面（リアコンバーターレンズＲＣ５の各レンズ面）の曲率半径Ｒは、図９における第３９
面〜第４７面に付した符号Ｒ３９〜Ｒ４７に対応している。また、表５における物面は不
図示の物体面に、（絞り）は図９の開口絞りＳに、像面は図９の像面Ｉにそれぞれ対応し
ている。
【００８０】
（表５）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0727
39    -533.6954      4.0000      45.51      1.548140
40     -35.8956      1.5000
41     -34.5247      1.5000      67.96      1.593190
42      28.1295      6.5000      45.51      1.548140
43     -83.8396      1.0000
44     -82.0601      1.5000      35.73      1.902650
45     113.8314      0.8000
46      57.0026      4.5000      82.57      1.497820
47    -174.6539      BF
像面        ∞
［諸元データ］
ｆ（ＭＬ）＝780.00037
ＦＮＯ（ＭＬ）＝5.65772
β＝1.25
Ｄ０＝∞
ｆ＝975.00675
ＦＮＯ＝7.07220
２ω＝2.53522
Ｙ＝21.633
ＴＬ＝21.3
ＢＦ＝44.33118
ｆ１＝70.00911
ｆ２＝-30.5352
ｆ３＝86.88986
ｆｃ＝-212.86000
［条件式対応値］
条件式（１）  νｎ＝67.96
条件式（２）  ｆ２／ｆｃ＝0.143
条件式（３）  ｆ３／（−ｆ２）＝2.846
【００８１】
このように本実施例では、上記条件式（１）〜（３）が全て満たされていることが分か
る。
【００８２】
図１０は、第５実施例に係るリアコンバーターレンズＲＣ５の無限遠合焦状態における
諸収差図である。各収差図より、第５実施例では、諸収差が良好に補正され、優れた結像
性能を有していることがわかる。その結果、第５実施例のリアコンバーターレンズＲＣ５
を装着することにより、デジタル一眼レフカメラＣＡＭにおいても、優れた光学性能を確
保することができる。
【００８３】
（第６実施例）
以下、本願の第６実施例について図１１〜図１２および表６を用いて説明する。図１１
は、第６実施例に係るリアコンバーターレンズＲＣ（ＲＣ６）が撮影レンズＭＬに装着さ
れた状態を示すレンズ構成図である。第６実施例に係るリアコンバーターレンズＲＣ６は
、光軸に沿って物体側から順に並んだ、正の屈折力を有する第１レンズ群Ｇ１と、負の屈
折力を有する第２レンズ群Ｇ２と、正の屈折力を有する第３レンズ群Ｇ３とから構成され
る。
【００８４】
第１レンズ群Ｇ１は、物体側に凹面を向けたメニスカス形状の正レンズＬ１１から構成
される。第２レンズ群Ｇ２は、光軸に沿って物体側から順に並んだ、両凹形状の第１負レ
ンズＬ２１と両凸形状の正レンズＬ２２と両凹形状の第２負レンズＬ２３とが貼り合わさ
れて接合された接合負レンズから構成される。第３レンズ群Ｇ３は、両凸形状の正レンズ
Ｌ３１から構成される。
【００８５】
下の表６に、第６実施例における各諸元を示す。なお、表６における第３９面〜第４６
面（リアコンバーターレンズＲＣ６の各レンズ面）の曲率半径Ｒは、図１１における第３
９面〜第４６面に付した符号Ｒ３９〜Ｒ４６に対応している。また、表６における物面は
不図示の物体面に、（絞り）は図１１の開口絞りＳに、像面は図１１の像面Ｉにそれぞれ
対応している。
【００８６】
（表６）
［レンズデータ］
面番号      Ｒ            Ｄ        νｄ        ｎｄ
物面        ∞            ∞
1     1200.3704      5.0000      64.07      1.516800
2     1199.7897      1.0000
3      188.5541     21.1000      95.13      1.433815
4     -915.9761     20.0000
5      182.4294     17.1000      95.13      1.433815
6    -1837.1348      3.3200
7     -833.5252      7.5000      50.17      1.719995
8      422.3839     75.0000
9      128.8258      6.5000      55.58      1.696797
10      65.1230     16.5000      82.53      1.497820
11     266.7583     52.9670
12    -998.6861      3.5000      42.08      1.799520
13     114.8928      3.0950
14    -354.6811      5.5000      28.70      1.795040
15     -67.4820      3.5000      55.58      1.696797
16     300.9593     27.1872
17     113.3417      6.6000      70.36      1.487490
18    -113.3160      3.2000      28.70      1.795040
19        ∞         2.2500
20     184.7146      4.7000      58.80      1.518229
21    -184.7146     40.7500
22        ∞        21.9300                          （絞り）
23    -131.4267      2.0000      55.58      1.696797
24      76.0680      1.5450
25   -1181.7118      6.0000      40.96      1.581439
26     -29.1590      2.0000      82.53      1.497820
27     150.9647      5.2200
28      87.5029      7.0000      37.96      1.603420
29     -36.2560      2.0000      32.36      1.850260
30    -271.4943      9.0000
31        ∞         2.0000      63.88      1.516800
32        ∞         9.0000
33      88.2621      6.0000      52.25      1.517420
34     -88.2621     34.8000
35   -1661.8745      5.4000      70.36      1.487490
36     -42.0520      2.0000      46.56      1.816000
37      68.2950      4.3000      40.96      1.581439
38   -1200.9959      4.0932
39    -113.5262      3.3000      40.96      1.581439
40     -42.0931      1.6000
41     -75.4602      1.5000      67.96      1.593190
42      24.6999      9.5000      40.96      1.581439
43     -26.4418      1.5000      35.73      1.902650
44     127.3187      0.8000
45      55.0932      4.0000      52.25      1.517420
46    -296.3380      BF
像面        ∞
［諸元データ］
ｆ（ＭＬ）＝780.00037
ＦＮＯ（ＭＬ）＝5.65772
β＝1.4
Ｄ０=∞
ｆ＝1092.00287
ＦＮＯ＝7.92083
２ω＝2.2638
Ｙ＝21.633
ＴＬ＝22.2
ＢＦ＝49.52949
ｆ１＝113.13268
ｆ２＝-34.7194
ｆ３＝90.13447
ｆｃ＝-137.70300
［条件式対応値］
条件式（１）  νｎ＝67.96
条件式（２）  ｆ２／ｆｃ＝0.252
条件式（３）  ｆ３／（−ｆ２）＝2.596
【００８７】
このように本実施例では、上記条件式（１）〜（３）が全て満たされていることが分か
る。
【００８８】
図１２は、第６実施例に係るリアコンバーターレンズＲＣ６の無限遠合焦状態における
諸収差図である。各収差図より、第６実施例では、諸収差が良好に補正され、優れた結像
性能を有していることがわかる。その結果、第６実施例のリアコンバーターレンズＲＣ６
を装着することにより、デジタル一眼レフカメラＣＡＭにおいても、優れた光学性能を確
保することができる。
【００８９】
以上、各実施例によれば、拡大倍率が高く、デジタルスチルカメラにも十分対応可能な
小型で優れた結像性能を有するリアコンバーターレンズＲＣを提供することができる。
【００９０】
なお、上述の実施形態において、以下に記載の内容は、光学性能を損なわない範囲で適
宜採用可能である。
【００９１】
上述の各実施例において、撮影レンズＭＬとして同じ構成のものが示されているが、こ
の撮影レンズＭＬは一例に過ぎず、撮影レンズ（マスターレンズ）の構成はこれに限定さ
れるものではない。
【００９２】
また、レンズ面は、球面または平面で形成されても、非球面で形成されても構わない。
レンズ面が球面または平面の場合、レンズ加工および組立調整が容易になり、加工および
組立調整の誤差による光学性能の劣化を防げるので好ましい。また、像面がずれた場合で
も描写性能の劣化が少ないので好ましい。レンズ面が非球面の場合、非球面は、研削加工
による非球面、ガラスを型で非球面形状に形成したガラスモールド非球面、ガラスの表面
に樹脂を非球面形状に形成した複合型非球面のいずれの非球面でも構わない。また、レン
ズ面は回折面としてもよく、レンズを屈折率分布型レンズ（ＧＲＩＮレンズ）あるいはプ
ラスチックレンズとしてもよい。
【００９３】
また、各レンズ面には、フレアやゴーストを軽減し高コントラストの高い光学性能を達
成するために、広い波長域で高い透過率を有する反射防止膜を施してもよい。
【符号の説明】
【００９４】
ＣＡＭ  デジタル一眼レフカメラ（光学機器）
ＭＬ  撮影レンズ
ＲＣ  リアコンバーターレンズ
Ｇ１  第１レンズ群                      Ｇ２  第２レンズ群
Ｇ３  第３レンズ群
Ｉ  像面
【図１】
0005904011.tif 000002
【図２】
0005904011.tif 000003
【図３】
0005904011.tif 000004
【図４】
0005904011.tif 000005
【図５】
0005904011.tif 000006
【図６】
0005904011.tif 000007
【図７】
0005904011.tif 000008
【図８】
0005904011.tif 000009
【図９】
0005904011.tif 000010
【図１０】
0005904011.tif 000011
【図１１】
0005904011.tif 000012
【図１２】
0005904011.tif 000013
【図１３】
0005904011.tif 000014
【図１４】
0005904011.tif 000015